(57)【要約】      （修正有）【課題】特に幅方向の寸法が制限される条件の下で、単純な構造によりタンク容量を大きくすることができ、しかも非攪拌領域の大きさを極力小さくすることができるアジテータを提供する。【解決手段】アジテータタンク１内に縦向きに配置される複数の回転軸２ａ，２ｂと、各回転軸２ａ，２ｂの下端部に設けられ、アジテータタンク１の底面に沿って回転する攪拌羽根３ａ，３ｂとを備え、各回転軸２ａ，２ｂは、互いに隣接する回転軸の攪拌羽根３ａ，３ｂの回転領域が平面的に一部重なるように配置され、アジテータタンク１の底面は、互いに隣接する一方の回転軸２ａの攪拌羽根３ａの全回転領域にほぼ等しい大面積底面部分Ａ1と、他方の回転軸２ｂの攪拌羽根３ａの全回転領域から重なり合い部分を減じた大きさにほぼ等しい小面積底面部分Ａ2とを有し、大面積底面部分Ａ1は少なくとも攪拌羽根２ａの高さ分、小面積底面部分Ａ2よりも高さが低くなっている。【選択図】図１
2010214742.tif 000002
【特許請求の範囲】
【請求項１】
セメント系固化材を攪拌しながら貯溜するためのアジテータであって、
アジテータタンクと、
前記アジテータタンク内に縦向きに配置される複数の回転軸と、
各回転軸の下端部に設けられ、前記アジテータタンクの底面に沿って回転する攪拌羽根とを備え、
前記各回転軸は、互いに隣接する回転軸の攪拌羽根の回転領域が平面的に一部重なるように配置され、
前記アジテータタンクの底面は、互いに隣接する一方の回転軸の攪拌羽根の全回転領域にほぼ等しい大面積底面部分と、他方の回転軸の攪拌羽根の全回転領域から前記重なり合い部分を減じた大きさにほぼ等しい小面積底面部分とを有し、
前記大面積底面部分は少なくとも攪拌羽根の高さ分、前記小面積底面部分よりも高さが低くなっていることを特徴とするアジテータ。
【発明の詳細な説明】
【技術分野】
【０００１】
この発明は、アジテータに関し、さらに詳細には、地盤改良や地中連続壁の造成に使用されるセメント系固化材を作製するための、可搬式のバッチャープラントに組み込まれるアジテータに関する。
【背景技術】
【０００２】
従来、地盤改良や地中連続壁の造成にはセメントミルクやセメントモルタル等のセメン系固化材が使用されている。このセメント系固化材を現場で作製するのがパッチャープラントである（例えば特許文献１参照）。バッチャープラントには、トラックに積み込むことができるユニット化された可搬式のものがあり、このような可搬式バッチャープラントの場合、分解せずに組立状態で搬送するのが一般的であり、寸法制限、特にトラックに積み込む関係上、幅方向の寸法に制限がある。
【０００３】
アジテータは、バッチャープラントに組み込まれる要素の１つであり、ミキシングタンクで作製されたセメント系固化材をいったん貯溜し、ポンプを介して所定位置に圧送するためのものである。このアジテータは、タンク容量が大きいほど、セメント系固化材を多く貯溜しておけるので望ましいが、上記のような搬送上の点から制限がある。
【０００４】
図４〜図７は、従来のアジテータを示している。各図において（ａ）は平面図、（ｂ）は立面図である。図４に示すアジテータは単軸回転型と称されるもので、平面円形（円筒形）のアジテータタンク５０と、アジテータタンク５０内に縦向きに配置される回転軸５１と、回転軸５１の下端部に設けられ、アジテータタンク５０の底面に沿って回転する１対の攪拌羽根５２とを有している。回転軸５１は駆動モータ５３に直結されて回転する。５４はアジテータタンク５０の底面に設けられたセメント系固化材の導出口である。この単軸回転型は最も構造が単純で一般的に採用されているが、幅方向の寸法が大きくなるので搬送上の制限からタンク容量を大きくするには限界がある。
【０００５】
図５に示すアジテータは単軸水平移動型と称されるもので、アジテータタンク５０が平面矩形をなし、回転軸５１及び攪拌羽根５２が水平方向に往復移動する構造である。この単軸水平移動型の場合、水平移動のための構造が回転型に比べて複雑となり、製造コストもアップする。
【０００６】
図６に示すアジテータは単軸揺動型と称されるもので、アジテータタンク５０は平面矩形で底面が部分円筒形をなし、回転軸５１及び攪拌羽根５２が左右に揺動する構造である。この単軸揺動型の場合、揺動構造部が複雑となり、製造コストもアップする。
【０００７】
図７に示すアジテータは２軸平行回転型と称されるもので、アジテータタンク５０は平面長円形をなし、回転軸５１ａ，５１ｂを２軸並列に配置したものである。この２軸平行回転型の場合、回転軸それ自体の構造は上記単軸回転型と同様であり、したがって単純で良好であるが、攪拌羽根５２ａ，５２ｂが干渉しないように回転軸５１ａ，５１ｂを配置する必要があり、そのため比較的大きな非攪拌領域Ａが発生し、実用上問題がある。
【先行技術文献】
【特許文献】
【０００８】
【特許文献１】特開平５−２６１７２０号公報
【発明の概要】
【発明が解決しようとする課題】
【０００９】
この発明は上記のような技術的背景に基づいてなされたものであって、次の目的を達成するものである。
この発明の目的は、特に幅方向の寸法が制限される条件の下で、単純な構造によりタンク容量を大きくすることができ、しかも発生する非攪拌領域の大きさを極力小さくすることができるアジテータを提供することにある。
【課題を解決するための手段】
【００１０】
この発明は上記課題を達成するために、次のような手段を採用している。
すなわち、この発明は、セメント系固化材を攪拌しながら貯溜するためのアジテータであって、
アジテータタンクと、
前記アジテータタンク内に縦向きに配置される複数の回転軸と、
各回転軸の下端部に設けられ、前記アジテータタンクの底面に沿って回転する攪拌羽根とを備え、
前記各回転軸は、互いに隣接する回転軸の攪拌羽根の回転領域が平面的に一部重なるように配置され、
前記アジテータタンクの底面は、互いに隣接する一方の回転軸の攪拌羽根の全回転領域にほぼ等しい大面積底面部分と、他方の回転軸の攪拌羽根の全回転領域から前記重なり合い部分を減じた大きさにほぼ等しい小面積底面部分とを有し、
前記大面積底面部分は少なくとも攪拌羽根の高さ分、前記小面積底面部分よりも高さが低くなっていることを特徴とするアジテータにある。
【発明の効果】
【００１１】
この発明によれば、互いに隣接する回転軸の攪拌羽根は回転領域が平面的に一部重なるが、アジテータタンクは高さが異なる底面部分を持つので攪拌羽根どうしは互いに干渉することがない。したがって、特に幅方向の寸法が制限される条件の下で、単純な構造によりタンク容量を大きくすることができ、しかもタンク容量を大きくしても発生する非攪拌領域の大きさを極力小さくすることができる。
【図面の簡単な説明】
【００１２】
【図１】この発明の実施形態を示す平面図である。
【図２】同実施形態のものの立面図である。
【図３】別の実施形態を示す概略平面図である。
【図４】従来例を示し、（ａ）は平面図、（ｂ）は立面図である。
【図５】別の従来例を示し、（ａ）は平面図、（ｂ）は立面図である。
【図６】別の従来例を示し、（ａ）は平面図、（ｂ）は立面図である。
【図７】別の従来例を示し、（ａ）は平面図、（ｂ）は立面図である。
【発明を実施するための形態】
【００１３】
この発明の実施形態を図面を参照しながら以下に説明する。アジテータタンク１は可搬式のバッチャープラントに組み込まれ、平面長円形で筒型のものであり、２つの半円筒形部１ａ，１ｂと、これらの半円筒形部１ａ，１ｂを連結する平板部１ｃとを有している。より具体的には、アジテータタンク１は、その平面形状が、一部を重ね合わせた半径が等しい２つの円と、これらの円に共通な２つの接線とでできる長円形をなしている。
【００１４】
アジテータタンク１内には２つの回転軸２ａ，２ｂが縦向きに、かつ互いに平行に配置されている。各回転軸２ａ，２ｂの配置位置は、円筒形部１ａ，１ｂの曲率中心とほぼ一致する位置である。各回転軸２ａ，２ｂの下端部には、アジテータタンク１の底面に沿って回転するそれぞれ１対ずつの攪拌羽根３ａ，３ｂが設けられている。
【００１５】
アジテータタンク１の上部には回転軸２ａ，２ｂに対応して２つの駆動モータ４ａ，４ｂが設置されている。各回転軸２ａ，２ｂはこれらの駆動モータ４ａ，４ｂに連結され、回転軸２ａ，２ｂの回転に伴って攪拌羽根３ａ，３ｂが回転する。攪拌羽根３ａ，３ｂの長さは、その先端が半円筒形部１ａ，１ｂの内周近くまで達する程度の長さ、すなわち半円筒形部１ａ，１ｂの曲率半径にほぼ等しい長さである。したがって、アジテータタンク１の平面形状及び回転軸２ａ，２ｂの配置を上記のようにすることにより、攪拌羽根３ａ，３ｂの回転領域が平面的に一部重なり合う。鎖線Ｔは一方の攪拌羽根３ｂの先端の回転軌跡の一部を示している。
【００１６】
アジテータタンク１の底面は、一方の攪拌羽根３ａの全回転領域にほぼ等しい大面積底面部分Ａ1と、他方の攪拌羽根３ｂの全回転領域から重なり合い部分を減じた小面積底面部分Ａ2とを有している。そして、大面積底面部分Ａ1は小面積底面部分Ａ2よりも攪拌羽根３ａの分だけ高さが低くなっている。小面積底面部分Ａ2に同一高さで連なる底面部分Ａ3は、攪拌には不要な部分であって非攪拌領域となる部分である。したがって、この底面部分Ａ3は無くすようにしてもよい。すなわち、アジテータタンク１の平面形状を２つの円を重ね合わせたのみの、中央部がくびれた形状としてもよい。
【００１７】
上記のようなアジテータタンク１において、セメントミルクなどのセメント系固化材はアジテータタンク１の上方に配置された図示しないミキサーから自然落下により投入され、タンク１内に貯溜される。そして、セメント系固化材は、施工位置での要求に応じて、導出口６から図示しないポンプにより施工位置まで圧送される。なお、符合５は掃除口を示している。
【００１８】
セメント系固化材はアジテータタンク１に貯溜されている間、回転軸２ａ，２ｂによって回転する攪拌羽根３ａ，３ｂにより常時攪拌される。攪拌羽根３ａ，３ｂの回転の際、それらの回転領域は平面的に一部重なり合うが、それらに対応する底面部分Ａ1、Ａ2の高さが異なるので攪拌羽根３ａ，３ｂどうしは互いに干渉することがない。このように、この発明によれば、寸法制限、特に幅方向の寸法を大きくすることなく、簡単な構造でタンク容量を大きくすることができ、しかもタンク容量を大きくしても発生する非攪拌領域の大きさを極力小さくすることができる。
【００１９】
上記実施形態に限らず、この発明によるアジテータは種々の形態を採りうる。図３は、別の実施形態を示す概略図である。この実施形態は回転軸を３軸とする場合であり、アジテータタンク１の底面は、１つの大面積底面部分Ａ1と、その両側に形成されるの２つの小面積底面部分Ａ2を有している。このように、高さが異なる大面積底面部分Ａ1と、小面積底面部分Ａ2とを順次連ねた底面をもつアジテータタンクとすることにより、所要大きさのタンク容量をもつ多軸構造のアジテータを得ることができる。
【符号の説明】
【００２０】
１      アジテータタンク
１ａ，１ｂ      半円筒形部
１ｃ      平板部
２ａ，２ｂ      回転軸
３ａ，３ｂ      攪拌羽根
Ａ1      大面積底面部分
Ａ2      小面積底面部分
【図１】
2010214742.tif 000003
【図２】
2010214742.tif 000004
【図３】
2010214742.tif 000005
【図４】
2010214742.tif 000006
【図５】
2010214742.tif 000007
【図６】
2010214742.tif 000008
【図７】
2010214742.tif 000009